(57)【要約】【課題】画像の表示内容に基づいて内蔵表示装置と外付け表示装置への出力を変えることが可能である。【解決手段】  表示システムは、外付け表示装置と、カメラよりの画像を入力する手段または通信により画像を入力する通信手段またはメモリーカードからの画像を入力するメモリーカードスロットである画像入力部と、入力された画像を表示する内臓表示装置とを有し、入力された画像を前記外付け表示装置へ出力可能な携帯機器とを備え、前記画像の表示内容に基づいて前記内蔵表示装置か前記外付け表示装置への出力かを判別する判別手段を有する。【選択図】図２
2006189476.tif 000002
【特許請求の範囲】
【請求項１】
外付け表示装置と、
カメラよりの画像を入力する手段または通信により画像を入力する通信手段またはメモリーカードからの画像を入力するメモリーカードスロットである画像入力部と、入力された画像を表示する内蔵表示装置とを有し、入力された画像を前記外付け表示装置へ出力可能な携帯機器とを備え、
前記画像の表示内容に基づいて前記内蔵表示装置か前記外付け表示装置への出力かを判別する判別手段を有することを特徴とする表示システム。
【請求項２】
前記判別手段は、外部出力へ優先すべき表示内容を、外部出力へ優先して出力することを特徴とする請求項１に記載の表示システム。
【請求項３】
前記判別手段は、外部出力へ優先すべき表示内容を有する場合で、前記外付け表示装置が接続されていない場合に警告することを特徴とする請求項２に記載の表示システム。
【請求項４】
前記判別手段は、前記警告後、操作入力部からの表示の操作を受付後に前記内蔵表示装置に表示することを特徴とする請求項３に記載の表示システム。
【請求項５】
前記判別手段は、判別する判別基準を、表示内容に関連づけられた属性により判断することを特徴とする請求項１乃至請求項４のいずれか１項に記載の表示システム。
【請求項６】
前記属性とは、表示内容の費用によるものであることを特徴とする請求項５に記載の表示システム。
【請求項７】
前記判別手段は、表示内容の費用が所定値より高い表示内容を前記外付け表示装置に優先して出力するよう判別することを特徴とする請求項６に記載の表示システム。
【請求項８】
前記属性とは、表示内容の機密度によるものであることを特徴とする請求項５に記載の表示システム。
【請求項９】
前記機密度の値を変更可能であることを特徴とする請求項８に記載の表示システム。
【請求項１０】
前記判別手段は、表示内容の機密度が所定値より高い表示内容を前記外付け表示装置に優先して出力するよう判別することを特徴とする請求項８または請求項９に記載の表示システム。
【請求項１１】
前記判別手段は、前記外付け表示装置の表示形式を判別することを特徴とする請求項１乃至請求項１０のいずれか１項に記載の表示システム。
【請求項１２】
前記判別手段は、特定の前記外付け表示装置か、不特定の前記外付け表示装置であるかを判別することを特徴とする請求項１乃至請求項１０のいずれか１項に記載の表示システム。
【請求項１３】
前記判別は前記外付け表示装置からの通信によって判別することを特徴とする請求項１１または請求項１２に記載の表示システム。
【請求項１４】
前記判別は前記外付け表示装置のコネクタ形状により判別することを特徴とする請求項１１または請求項１２に記載の表示システム。
【請求項１５】
前記判別手段は、費用が所定値より高い表示内容を表示する場合において、前記外付け表示装置が不特定の外付け表示装置である場合は警告を行うことを特徴とする請求項１１乃至請求項１４のいずれか１項に記載の表示システム。
【請求項１６】
前記判別手段は、費用が所定値より高い表示内容を表示する場合において、前記外付け表示装置が不特定の外付け表示装置である場合は前記内蔵表示装置に優先して表示することを特徴とする請求項１１乃至請求項１４のいずれか１項に記載の表示システム。
【請求項１７】
前記判別手段は、機密度が所定値より高い表示内容を表示する場合において、前記外付け表示装置が不特定の外付け表示装置である場合は警告を行うことを特徴とする請求項１１乃至請求項１４のいずれか１項に記載の表示システム。
【請求項１８】
前記判別手段は、機密度が所定値より高い表示内容を表示する場合において、前記外付け表示装置が不特定の外付け表示装置である場合は前記内蔵表示装置に優先して表示することを特徴とする請求項１１乃至請求項１４のいずれか１項に記載の表示システム。
【請求項１９】
メールなどのコミュニケーション手段を有し、
前記コミュニケーション手段は、表示内容を特定する情報またはその表示内容の一部を転送することを特徴とする請求項１乃至請求項１８のいずれか１項に記載の表示システム。
【請求項２０】
前記コミュニケーション手段により表示内容を特定する情報またはその表示内容の一部を受け取った前記外付け表示装置は、先の表示内容にアクセス可能な機能を有し、
前記外付け表示装置でのその内容にアクセスした行為により送信者に特典が与えられることを特徴とする請求項１９に記載の表示システム。
【請求項２１】
前記特典とはポイントであることを特徴とする請求項２０に記載の表示システム。
【請求項２２】
前記コミュニケーション手段は、表示内容にアクセスした場合に課金を行うことを特徴とする請求項１９または請求項２０に記載の表示システム。
【請求項２３】
前記コミュニケーション手段は、表示内容の費用を通知することを特徴とする請求項１９または請求項２０に記載の表示システム。
【請求項２４】
前記表示内容の費用が所定値以上である通信内容の受領または表示を警告または禁止する手段を有することを特徴とする請求項１９乃至請求項２３のいずれか１項に記載の表示システム。
【請求項２５】
前記内蔵表示装置の表示と前記外付け表示装置の表示の明るさ、コントラスト、解像度、カラーバランス、倍率を異ならせることが可能であり、
前記外付け表示装置の画像を前記内蔵表示装置の画像より高倍率とすることを特徴とする請求項１乃至請求項２４のいずれか１項に記載の表示システム。
【請求項２６】
撮像装置を内蔵し、
前記撮像装置による映像の表示、前記内蔵表示装置の表示と前記外付け表示装置の表示の明るさ、コントラスト、解像度、カラーバランス、倍率を異ならせることが可能であることを特徴とする請求項１乃至請求項２４のいずれか１項に記載の表示システム。
【請求項２７】
前記外付け表示装置がヘッドマウントディスプレイであることを特徴とする請求項１乃至請求項２６のいずれか１項に記載の表示システム。
【請求項２８】
装着状態を検出し、前記ヘッドマウントディスプレイが非装着の場合に表示する画像を前記ヘッドマウントディスプレイから内蔵表示装置の表示に切り替える表示切換手段を有することを特徴とする請求項２７に記載の表示システム。
【請求項２９】
前記表示切換手段は、前記ヘッドマウントディスプレイの装着者の動き、生体反応、装着の角度により表示を切り替えることを特徴とする請求項２８に記載の表示システム。
【請求項３０】
前記外付け表示装置から画像信号を受信する受信手段を有することを特徴とする請求項１乃至請求項２９のいずれか１項に記載の表示システム。
【請求項３１】
前記受信手段により受信した画像信号を他の前記外付け表示装置へ送信する送信手段を有することを特徴とする請求項３０に記載の表示システム。
【請求項３２】
電源のオンオフを判別し、電源オフのスリープ状態から電源オンにする電源制御手段を有することを特徴とする請求項１乃至請求項３１のいずれか１項に記載の表示システム。
【請求項３３】
前記外付け表示装置の消費電流を測定する消費電流測定手段を有することを特徴とする請求項１乃至請求項３２のいずれか１項に記載の表示システム。
【請求項３４】
前記電源制御手段は、同一の表示内容であれば、前記内蔵表示装置と前記外付け表示装置とで、消費電流の少ない方に優先して出力することを特徴とする請求項３２または請求項３３に記載の表示システム。
【請求項３５】
前記電源制御手段は、消費電力の多い方に表示させる操作を行うと、警告をすることを特徴とする請求項３２または請求項３３に記載の表示システム。
【発明の詳細な説明】
【技術分野】
【０００１】
この発明は、入力された画像を内蔵表示装置と外付け表示装置とへ出力可能な携帯表示システムに関する。
【背景技術】
【０００２】
従来、表示システムとして、携帯機器が例えば画像を取り込む画像入力部と、入力された画像を表示する内蔵表示装置とを有し、入力された画像を外付け表示装置へ出力可能なものがある（特許文献１,２）。  
【０００３】
特許文献１には、携帯機器が内蔵表示装置を有し、この携帯機器に交換アダプタを介して外付け表示装置を接続し、画像の出力を内蔵表示装置と外付け表示装置とに切り替える構成が記載されている。
【０００４】
また、特許文献２には、携帯機器が内蔵表示装置を有し、この携帯機器に外付け表示装置を接続し、表示対象情報を外付け表示装置に拡大表示する構成が記載されている。
【特許文献１】特開２００１−３５２３７３号公報（第１頁〜第１８頁、図１〜図１３）
【特許文献２】特開２００３−２３３４３７号公報（第１頁〜第２０頁、図１〜図２１）
【発明の開示】
【発明が解決しようとする課題】
【０００５】
このように、携帯機器に入力された画像を、内蔵表示装置と外付け表示装置へ切り替え出力可能なものや拡大表示するものがあるが、画像の表示内容によっては内蔵表示装置に優先して表示し、あるいは外付け表示装置に優先して表示したい場合がある。例えば、携帯機器に入力された画像が有料画像であり、他人に見せたくない場合がある。また、メモリカードなどの記憶媒体から入力した個人的な画像で他人には見せたくない場合、あるいは結婚式などの画像で多数の人で見て楽しみたい場合などがある。
【０００６】
この発明は、かかる点に鑑みてなされたもので、画像の表示内容に基づいて内蔵表示装置と外付け表示装置への出力を変えることが可能な表示システムを提供することを目的としている。
【課題を解決するための手段】
【０００７】
前記課題を解決し、かつ目的を達成するために、この発明は、以下のように構成した。
【０００８】
請求項１に記載の発明は、外付け表示装置と、
カメラよりの画像を入力する手段または通信により画像を入力する通信手段またはメモリーカードからの画像を入力するメモリーカードスロットである画像入力部と、入力された画像を表示する内蔵表示装置とを有し、入力された画像を前記外付け表示装置へ出力可能な携帯機器とを備え、
前記画像の表示内容に基づいて前記内蔵表示装置か前記外付け表示装置への出力かを判別する判別手段を有することを特徴とする表示システムである。
【０００９】
請求項２に記載の発明は、前記判別手段は、外部出力へ優先すべき表示内容を、外部出力へ優先して出力することを特徴とする請求項１に記載の表示システムである。
【００１０】
請求項３に記載の発明は、前記判別手段は、外部出力へ優先すべき表示内容を有する場合で、前記外付け表示装置が接続されていない場合に警告することを特徴とする請求項２に記載の表示システムである。
【００１１】
請求項４に記載の発明は、前記判別手段は、前記警告後、操作入力部からの表示の操作を受付後に前記内蔵表示装置に表示することを特徴とする請求項３に記載の表示システムである。
【００１２】
請求項５に記載の発明は、前記判別手段は、判別する判別基準を、表示内容に関連づけられた属性により判断することを特徴とする請求項１乃至請求項４のいずれか１項に記載の表示システムである。
【００１３】
請求項６に記載の発明は、前記属性とは、表示内容の費用によるものであることを特徴とする請求項５に記載の表示システムである。
【００１４】
請求項７に記載の発明は、前記判別手段は、表示内容の費用が所定値より高い表示内容を前記外付け表示装置に優先して出力するよう判別することを特徴とする請求項６に記載の表示システムである。
【００１５】
請求項８に記載の発明は、前記属性とは、表示内容の機密度によるものであることを特徴とする請求項５に記載の表示システムである。
【００１６】
請求項９に記載の発明は、前記機密度の値を変更可能であることを特徴とする請求項８に記載の表示システムである。
【００１７】
請求項１０に記載の発明は、前記判別手段は、表示内容の機密度が所定値より高い表示内容を前記外付け表示装置に優先して出力するよう判別することを特徴とする請求項８または請求項９に記載の表示システムである。
【００１８】
請求項１１に記載の発明は、前記判別手段は、前記外付け表示装置の表示形式を判別することを特徴とする請求項１乃至請求項１０のいずれか１項に記載の表示システムである。
【００１９】
請求項１２に記載の発明は、前記判別手段は、特定の前記外付け表示装置か、不特定の前記外付け表示装置であるかを判別することを特徴とする請求項１乃至請求項１０のいずれか１項に記載の表示システムである。
【００２０】
請求項１３に記載の発明は、前記判別は前記外付け表示装置からの通信によって判別することを特徴とする請求項１１または請求項１２に記載の表示システムである。
【００２１】
請求項１４に記載の発明は、前記判別は前記外付け表示装置のコネクタ形状により判別することを特徴とする請求項１１または請求項１２に記載の表示システムである。
【００２２】
請求項１５に記載の発明は、前記判別手段は、費用が所定値より高い表示内容を表示する場合において、前記外付け表示装置が不特定の外付け表示装置である場合は警告を行うことを特徴とする請求項１１乃至請求項１４のいずれか１項に記載の表示システムである。
【００２３】
請求項１６に記載の発明は、前記判別手段は、費用が所定値より高い表示内容を表示する場合において、前記外付け表示装置が不特定の外付け表示装置である場合は前記内蔵表示装置に優先して表示することを特徴とする請求項１１乃至請求項１４のいずれか１項に記載の表示システムである。
【００２４】
請求項１７に記載の発明は、前記判別手段は、機密度が所定値より高い表示内容を表示する場合において、前記外付け表示装置が不特定の外部表示装置である場合は警告を行うことを特徴とする請求項１１乃至請求項１４のいずれか１項に記載の表示システムである。
【００２５】
請求項１８に記載の発明は、前記判別手段は、機密度が所定値より高い表示内容を表示する場合において、前記外付け表示装置が不特定の外付け表示装置である場合は前記内蔵表示装置に優先して表示することを特徴とする請求項１１乃至請求項１４のいずれか１項に記載の表示システムである。
【００２６】
請求項１９に記載の発明は、メールなどのコミュニケーション手段を有し、
前記コミュニケーション手段は、表示内容を特定する情報またはその表示内容の一部を転送することを特徴とする請求項１乃至請求項１８のいずれか１項に記載の携帯機器である。
【００２７】
請求項２０に記載の発明は、前記コミュニケーション手段により表示内容を特定する情報またはその表示内容の一部を受け取った前記外付け表示装置は、先の表示内容にアクセス可能な機能を有し、
前記外付け表示装置でのその内容にアクセスした行為により送信者に特典が与えられることを特徴とする請求項１９に記載の表示システムである。
【００２８】
請求項２１に記載の発明は、前記特典とはポイントであることを特徴とする請求項２０に記載の表示システムである。
【００２９】
請求項２２に記載の発明は、前記コミュニケーション手段は、表示内容にアクセスした場合に課金を行うことを特徴とする請求項１９または請求項２０に記載の表示システムである。
【００３０】
請求項２３に記載の発明は、前記コミュニケーション手段は、表示内容の費用を通知することを特徴とする請求項１９または請求項２０に記載の表示システムである。
【００３１】
請求項２４に記載の発明は、前記表示内容の費用が所定値以上である通信内容の受領または表示を警告または禁止する手段を有することを特徴とする請求項１９乃至請求項２３のいずれか１項に記載の表示システムである。
【００３２】
請求項２５に記載の発明は、前記内蔵表示装置の表示と前記外付け表示装置の表示の明るさ、コントラスト、解像度、カラーバランス、倍率を異ならせることが可能であり、
前記外付け表示装置の画像を前記内蔵表示装置の画像より高倍率とすることを特徴とする請求項１乃至請求項２４のいずれか１項に記載の表示システムである。
【００３３】
請求項２６に記載の発明は、撮像装置を内蔵し、
前記撮像装置による映像の表示、前記内蔵表示装置の表示と前記外付け表示装置の表示の明るさ、コントラスト、解像度、カラーバランス、倍率を異ならせることが可能であることを特徴とする請求項１乃至請求項２４のいずれか１項に記載の表示システムである。
【００３４】
請求項２７に記載の発明は、前記外付け表示装置がヘッドマウントディスプレイであることを特徴とする請求項１乃至請求項２６のいずれか１項に記載の表示システムである。
【００３５】
請求項２８に記載の発明は、装着状態を検出し、前記ヘッドマウントディスプレイが非装着の場合に表示する画像を前記ヘッドマウントディスプレイから内蔵表示装置の表示に切り替える表示切換手段を有することを特徴とする請求項２７に記載の表示システムである。
【００３６】
請求項２９に記載の発明は、前記表示切換手段は、前記ヘッドマウントディスプレイの装着者の動き、生体反応、装着の角度により表示を切り替えることを特徴とする請求項２８に記載の表示システムである。
【００３７】
請求項３０に記載の発明は、前記外付け表示装置から画像信号を受信する受信手段を有することを特徴とする請求項１乃至請求項２９のいずれか１項に記載の表示システムである。
【００３８】
請求項３１に記載の発明は、前記受信手段により受信した画像信号を他の前記外部表示装置へ送信する送信手段を有することを特徴とする請求項３０に記載の表示システムである。
【００３９】
請求項３２に記載の発明は、電源のオンオフを判別し、電源オフのスリープ状態から電源オンにする電源制御手段を有することを特徴とする請求項１乃至請求項３１のいずれか１項に記載の表示システムである。
【００４０】
請求項３３に記載の発明は、前記外付け表示装置の消費電流を測定する消費電流測定手段を有することを特徴とする請求項１乃至請求項３２のいずれか１項に記載の表示システムである。
【００４１】
請求項３４に記載の発明は、前記電源制御手段は、同一の表示内容であれば、前記内蔵表示装置と前記外付け表示装置とで、消費電流の少ない方に優先して出力することを特徴とする請求項３２または請求項３３に記載の表示システムである。
【００４２】
請求項３５に記載の発明は、前記電源制御手段は、消費電力の多い方に表示させる操作を行うと、警告をすることを特徴とする請求項３２または請求項３３に記載の表示システムである。
【発明の効果】
【００４３】
前記構成により、この発明は、以下のような効果を有する。
【００４４】
請求項１に記載の発明によれば、画像の表示内容に基づいて内蔵表示装置か外付け表示装置への出力かを簡単かつ確実に判別して表示することができる。
【００４５】
請求項２に記載の発明によれば、外部出力へ優先すべき表示内容によって簡単かつ確実に、外部出力へ優先して出力する。
【００４６】
請求項３に記載の発明によれば、外部出力へ優先すべき表示内容を有する場合で、外付け表示装置が接続されていない場合に警告することで、使用者は外付け表示装置を接続して表示し、あるいは内蔵表示装置に表示するようにすることができる。
【００４７】
請求項４に記載の発明によれば、警告後、操作入力部からの表示の操作を受付後に内蔵表示装置に表示し、例えばやむをえない場合には外部出力へ優先すべき表示内容を内蔵表示装置に表示することができる。
【００４８】
請求項５に記載の発明によれば、判別する判別基準を、表示内容に関連づけられた属性により判断し、特別な操作をすることなく判別して表示することができる。
【００４９】
請求項６に記載の発明によれば、属性とは、表示内容の費用によるものであり、例えば有料の画像のみを外付け表示装置に優先して出力することができる。
【００５０】
請求項７に記載の発明によれば、表示内容の費用が所定値より高い表示内容を外付け表示装置に優先して出力するよう判別し、高価な画像のみを外付け表示装置に優先して出力することができる。
【００５１】
請求項８に記載の発明によれば、属性とは、表示内容の機密度によるものであり、例えば他人に見せたくない個人的なプライベートの画像などは外付け表示装置に表示しないようにすることができる。
【００５２】
請求項９に記載の発明によれば、機密度の値を変更可能であり、簡単に外付け表示装置に表示しないように変更することができる。
【００５３】
請求項１０に記載の発明によれば、表示内容の機密度が所定値より高い表示内容を外付け表示装置に優先して出力するよう判別し、機密度が所定値より高い画像のみを外付け表示装置に優先して出力することができる。
【００５４】
請求項１１に記載の発明によれば、外付け表示装置の表示形式を判別し、画像を外付け表示装置に表示できるようにすることができる。
【００５５】
請求項１２に記載の発明によれば、特定の外付け表示装置か、不特定の外付け表示装置であるかを判別し、特定の人に見えるようにし、あるいは不特定の人に見えるようにすることができる。
【００５６】
請求項１３に記載の発明によれば、判別は外付け表示装置からの通信によって判別し、画像を外付け表示装置に表示できるようにすることができる。
【００５７】
請求項１４に記載の発明によれば、判別は外付け表示装置のコネクタ形状により判別し、画像を外付け表示装置に表示できるようにすることができる。
【００５８】
請求項１５に記載の発明によれば、費用が所定値より高い表示内容を表示する場合において、外付け表示装置が不特定の外付け表示装置である場合は警告を行い表示しないようにし、不特定の人には見えないようにすることができる。
【００５９】
請求項１６に記載の発明によれば、費用が所定値より高い表示内容を表示する場合において、外付け表示装置が不特定の外付け表示装置である場合は内蔵表示装置に優先して表示し、不特定の人には見えないようにすることができる。
【００６０】
請求項１７に記載の発明によれば、機密度が所定値より高い表示内容を表示する場合において、外付け表示装置が不特定の外付け表示装置である場合は警告を行い表示しないようにし、不特定の人には見えないようにすることができる。
【００６１】
請求項１８に記載の発明によれば、機密度が所定値より高い表示内容を表示する場合において、外付け表示装置が不特定の外付け表示装置である場合は内蔵表示装置に優先して表示し、不特定の人には見えないようにすることができる。
【００６２】
請求項１９に記載の発明によれば、表示内容を特定する情報またはその表示内容の一部を転送し、コミュニケーションを図ることができる。
【００６３】
請求項２０に記載の発明によれば、表示内容を特定する情報またはその表示内容の一部を受け取った外付け表示装置は、先の表示内容にアクセス可能な機能を有し、外付け表示装置でのその内容にアクセスした行為により送信者に特典が与えられる。
【００６４】
請求項２１に記載の発明によれば、特典とはポイントであり、ポイントを貯めることで景品や値引きなどのサービスを受けることができる。
【００６５】
請求項２２に記載の発明によれば、表示内容にアクセスした場合に課金を行い、表示内容の閲覧に応じた課金を行うことができる。
【００６６】
請求項２３に記載の発明によれば、表示内容の費用を通知することで、閲覧者は事前に費用を知ることができる。
【００６７】
請求項２４に記載の発明によれば、表示内容の費用が所定値以上である通信内容の受領または表示を警告または禁止し、高額な費用の発生によるトラブルを事前に防止することができる。
【００６８】
請求項２５に記載の発明によれば、内蔵表示装置の表示と外付け表示装置の表示の明るさ、コントラスト、解像度、カラーバランス、倍率を異ならせることが可能であり、外付け表示装置の画像を内蔵表示装置の画像より高倍率とすることで、例えば注目する画像を見やすくかつ拡大することができる。
【００６９】
請求項２６に記載の発明によれば、内蔵の撮像装置による映像の表示、内蔵表示装置の表示と外付け表示装置の表示の明るさ、コントラスト、解像度、カラーバランス、倍率を異ならせることが可能であり、撮像装置による映像を例えば注目する画像を見やすくかつ拡大することができる。
【００７０】
請求項２７に記載の発明によれば、外付け表示装置がヘッドマウントディスプレイであり、例えば眼鏡型のレンズにホログラム光学素子等を用いることで、映像を観ているときでも外界を観ることが可能である。
【００７１】
請求項２８に記載の発明によれば、装着状態を検出し、ヘッドマウントディスプレイが非装着の場合に表示する画像をヘッドマウントディスプレイから内蔵表示装置の表示に切り替えて表示することができる。
【００７２】
請求項２９に記載の発明によれば、ヘッドマウントディスプレイの装着者の動き、生体反応、装着の角度により表示を切り替え、装着者に応じて画像を見やすいように表示することができる。
【００７３】
請求項３０に記載の発明によれば、外付け表示装置から画像信号を受信し、内蔵表示装置に表示することができる。
【００７４】
請求項３１に記載の発明によれば、受信手段により受信した画像信号を他の外付け表示装置へ送信して表示することができる。
【００７５】
請求項３２に記載の発明は、電源のオンオフを判別し、電源オフのスリープ状態から電源オンにし、節電が可能であるとともに、電源の入力操作が容易である。
【００７６】
請求項３３に記載の発明によれば、外付け表示装置の消費電流を測定し、例えば携帯機器の蓄電量が少ない場合には外付け表示装置に表示しないようにすることができる。
【００７７】
請求項３４に記載の発明によれば、同一の表示内容であれば、内蔵表示装置と外付け表示装置とで、消費電流の少ない方に優先して出力し、節電することが可能である。
【００７８】
請求項３５に記載の発明によれば、消費電力の多い方に表示させる操作を行うと、警告をすることで、電力消費が大きいことを知らせることができる。
【発明を実施するための最良の形態】
【００７９】
以下、この発明の表示システムを、図面に基づいて詳細に説明する。また、この発明の実施の形態は、発明の最も好ましい形態を示すものであり、この発明は、これに限定されない。
【００８０】
図１は携帯機器に外部表示装置を接続した表示システムを示す概略構成図である。
【００８１】
図１に示すように、この実施の形態の表示システムは、携帯機器としての衛星放送波を受信し映像を再生可能な携帯電話などの携帯機器１００と、外付け表示ユニットＡとを備える。外付け表示ユニットＡは、外付け表示装置としての頭部装着型のＨＭＤ表示装置２００とを有し、携帯機器１００とＨＭＤ表示装置２００は接続可能になっている。
【００８２】
携帯機器１００には、内蔵表示装置１０１、アンテナ１０２、操作入力部１０３、コネクタ接続部１０４、撮像装置としてのデジタルカメラ１０５が備えられている。さらに、携帯機器１００には、メモリカードスロット１０７が設けられ、メモリカード１０６などの記憶媒体からのデータ読み込み、あるいはメモリカード１０６へのデータ書き込みが行われる。このメモリカードスロット１０７が画像を取り込む画像入力部を構成する。
【００８３】
ＨＭＤ表示装置２００は、２枚の透明板を有する眼鏡形状であり、両方の透明板の上端には光学ユニット２０１が設けられている。ＨＭＤ表示装置２００のフレームには耳に接触する位置にイヤホン２０２が設けられ、さらに一方のフレームには撮像装置としてのＣＣＤカメラ２０３及びセンサ２０４が設けられている。
【００８４】
外付け表示ユニットＡはケーブル３０１と、携帯機器１００に接続されるコネクタ部３０２とを備えている。ケーブル３０１の途中には操作入力部３０３が接続され、ケーブル３０１の一端はコネクタ部３０２に接続され、他端は操作入力部３０３に着脱自在とされている。
【００８５】
図２は表示システムのブロック図である。携帯機器１００は、内蔵表示装置１０１、アンテナ１０２、操作入力部１０３、コネクタ接続部１０４、撮像装置としてのデジタルカメラ１０５、カメラ画像入力部１０５ａ、メモリカードスロット１０７、受信部１０８、送信部１０９、マイク１１０、スピーカ１１１、音声再生処理部１１２、映像再生処理部１１３、マイクロプロセッサ１１４、補助記憶部１１５及び電源部１１６を備えている。カメラよりの画像を入力する手段であるカメラ画像入力部１０５ａ、通信により画像を入力する通信手段である受信部１０８は、画像を取り込む画像入力部を構成する。
【００８６】
コネクタ接続部１０４は、音声再生処理部１１２に接続された音声出力端子１０４ａ、映像再生処理部１１３に接続された映像出力端子１０４ｂ、電力を供給するための電源出力端子１０４ｃおよびマイクロプロセッサ１１４に接続された信号出力端子１０４ｄを備えている。
【００８７】
受信部１０８は、アンテナ１０２から受信した信号を復調したりするために用いられている。送信部１０９は、マイク１１０により集音した音声の信号をアンテナ１０２から送信するために用いられている。
【００８８】
音声再生処理部１１２、映像再生処理部１１３は、それぞれ受信部１０８で復調した音声、映像信号をデコードしたりするために用いられている。音声再生処理部１１２及び映像再生処理部１１３は、音声映像信号を出力するためのコネクタ接続部１０４に接続されている。すなわち、音声再生処理部１１２は音声出力端子１０４ａに接続され、映像再生処理部１１３は映像出力端子１０４ｂに接続されている。
【００８９】
補助記憶部１１５は、映像再生処理部１１３およびメモリカードスロット１０７からの映像、データを記憶しておくために用いられている。メモリカードスロット１０７からは、メモリカード１０６のファイルの再生を行い、またコンテンツの録画（録音）をすることができる。
【００９０】
操作入力部１０３は、電源スイッチやテンキーなどで構成され、電源のオンオフ、衛星放送のチャンネルＣＨを選択したり、音声ボリュームを調節したり、文字情報を入力するために用いられている。
【００９１】
内蔵表示装置１０１は、映像再生処理部１１３で処理された映像を表示するために用いられている。電源部１１６は各部に電源を供給するために各部に接続されていると共に、電力を供給するための電源出力端子１０４ｃに接続されている。マイクロプロセッサ１１４は、全体の制御をするために用いられている。
【００９２】
コネクタ部３０２は、音声ボリューム制御部３１１、ＨＭＤ表示制御部３１２、内蔵電源３１３、制御部３１４及びコネクタ接続部３１５を備えている。コネクタ接続部３１５は、音声出力端子１０４ａに接続される音声入力端子３１５ａ、映像出力端子１０４ｂに接続される映像入力端子３１５ｂ及び電源出力端子１０４ｃに接続される電源入力端子３１５ｃ、信号出力端子１０４ｄに接続される信号入力端子３１５ｄを備えている。
【００９３】
音声ボリューム制御部３１１は、音声入力端子３１５ａを介して入力された音声信号に基づき音声ボリュームを制御するために用いられる。ＨＭＤ表示制御部３１２は、映像入力端子３１５ｂを介して入力された映像信号に基づき映像信号を制御するために用いられている。内蔵電源３１３は、コネクタ部３０２の電源である。また、制御部３１４は、マイクロプロセッサ１１４、操作入力部３０３およびＨＭＤ表示装置２００との間で信号のやり取りを行う。
【００９４】
この音声ボリューム制御部３１１、ＨＭＤ表示制御部３１２、内蔵電源３１３、制御部３１４は、コネクタ部３０２に設けないで操作入力部３０３に設けるようにしてもよい。
【００９５】
ＨＭＤ表示装置２００のイヤホン２０２は、音声ボリューム制御部３１１に接続され、イヤホン２０２から音声を出力することができるように構成されている。光学ユニット２０１は、ＨＭＤ表示制御部３１２に接続されており、光学ユニット２０１で映像を表示することができるように構成されている。
【００９６】
この外付け表示ユニットＡからの携帯機器１００へ送信する信号として、操作入力部３０３からの表示オン／オフなどの制御信号、メールなどのための文字入力などがある。また、ＨＭＤ表示装置２００のＣＣＤカメラ２０３からの画像、センサ２０４からの信号などがある。このセンサ２０４からの信号により生体反応、装着角度、外光の強さ、視線の情報を送信する。生体反応の情報は、装着されているか否かで画像などの制御を変更するため、装着角度の情報は、装着者の顔の向きを検出し、画像などの制御を変更するため、外光の強さの情報は、外光の強さにより画像の明るさ、コントラストを調整するため、視線の情報は、視線による操作のために必要な情報である。
【００９７】
操作入力部３０３は、図３に示すように、操作部３０３ａ、選択ボタン３０３ｂ、キャンセルボタン３０３ｃを有し、音量、画像のコントラストなどの操作が可能である。また、携帯機器１００と接続することで、コマンドやテキストの入力が可能である。
【００９８】
図４は表示システムの携帯機器と外付け表示ユニットとの画像表示の信号通信を示す図である。
【００９９】
携帯機器１００から外付け表示ユニットＡへ信号を送信し、外付け表示ユニットＡからの応答の信号の有無によって表示機能を備える外部表示装置の発見を行う。
【０１００】
次に、外付け表示装置が接続されている場合には、それぞれの装置がどのようなサービスを提供しているかの確認を行う。例えば、外付け表示装置の表示画素数、表示可能色数、カラーマネジメント方式、プリント機能、他の形式への変換機能などのコンフィグを行う。
【０１０１】
次に、ユーザインターフェイスの問い合わせを行い、この設定機能の問い合わせ、外付け表示ユニットＡでのユーザー操作により携帯機器１００の操作ができるようになる。設定機能は、コネクタで形状判断してもよいが、設定機能の問い合わせで判断してもよい。例えば、特定の外付け表示装置か否か、特定の外付け表示装置とは特定の者しか見ることのできないディスプレイか、不特定の者が自由に見ることのできるディスプレイかの判別ができることで、所定の信号が外付け表示ユニットＡから送信されないかぎり、外付け表示ユニットＡは不特定の者が自由に見ることのできるディスプレイと判断される
携帯機器１００から外付け表示ユニットＡに表示を要求し、表示を開始し、外付け表示ユニットＡから実際の表示データを要求する。
【０１０２】
携帯機器１００からデータの送信を行い、外付け表示ユニットＡでデータを受信して表示し、この表示結果を通知する。
【０１０３】
この実施の形態の携帯機器１００は、図１に示すように、画像を取り込む画像入力部である撮像装置としてのデジタルカメラ１０５、メモリカード接続部１０７、受信部１０８と、入力された画像を表示する内蔵表示装置１０１とを有し、入力された画像を外付け表示装置である外付け表示ユニットＡの光学ユニット２０１へ出力可能である。
【０１０４】
この携帯機器１００のマイクロプロセッサ１１４は、画像の表示内容に基づいて内蔵表示装置１０１か外付け表示装置への出力かを判別する判別手段１１４ａを有する。この判別手段１１４ａは、画像の表示内容に基づいて内蔵表示装置１０１か外付け表示装置への出力かを簡単かつ確実に判別して表示することができる。
【０１０５】
この判別手段１１４ａは、外部出力へ優先すべき表示内容を、外部出力へ優先して出力し、外付け表示装置に表示する。外部出力へ優先すべき表示内容によって簡単かつ確実に、外部出力へ優先して出力することができる。
【０１０６】
また、判別手段１１４ａは、外部出力へ優先すべき表示内容を有する場合で、外付け表示装置が接続されていない場合に、内蔵表示装置１０１に警告表示して警告する。このように、警告することで、使用者は外付け表示装置を接続して表示し、あるいは内蔵表示装置１０１に表示するようにすることができる。
【０１０７】
また、判別手段１１４ａは、警告後、操作入力部１０３からの表示の操作を受付後に内蔵表示装置１０１に表示することができる。例えばやむをえない場合には外部出力へ優先すべき表示内容を内蔵表示装置１０１に表示することができる。
【０１０８】
また、判別手段１１４ａは、判別する判別基準を、表示内容に関連づけられた属性により判断し、特別な操作をすることなく判別して表示することができる。この属性とは、表示内容の費用によるものであり、例えば有料の画像のみを外付け表示装置に優先して出力することができる。
【０１０９】
また、判別手段１１４ａは、表示内容の費用が所定値より高い表示内容を外付け表示装置に優先して出力するよう判別し、高価な画像のみを外付け表示装置に優先して出力することができる。この属性とは、表示内容の機密度によるものであり、例えば他人に見せたくない個人的なプライベートの画像などは外付け表示装置に表示しないようにすることができる。機密度の値を変更可能であり、簡単に外付け表示装置に表示しないように変更することができる。
【０１１０】
また、判別手段１１４ａは、表示内容の機密度が所定値より高い表示内容を外付け表示装置に優先して出力するよう判別し、機密度が所定値より高い画像のみを外付け表示装置に優先して出力することができる。
【０１１１】
また、判別手段１１４ａは、外付け表示装置の表示形式を判別し、画像を外付け表示装置に表示できるようにすることができる。
【０１１２】
また、判別手段１１４ａは、特定の外付け表示装置か、不特定の外付け表示装置であるかを判別し、特定の人に見えるようにし、あるいは不特定の人に見えるようにすることができる。特定の外付け表示装置か、不特定の外付け表示装置であるかの判別には、画像の表現力、シースルー性の判別を含めて判別してもよい。
【０１１３】
また、判別手段１１４ａは、判別は外付け表示装置からの通信によって判別し、画像を外付け表示装置に表示できるようにすることができる。また、判別は外付け表示装置のコネクタ形状により判別し、画像を外付け表示装置に表示できるようにすることができる。
【０１１４】
また、判別手段１１４ａは、費用が所定値より高い表示内容を表示する場合において、外付け表示装置が不特定の外付け表示装置である場合は、内蔵表示装置１０１に警告表示して警告する。このように、警告を行い表示しないようにし、不特定の人には見えないようにすることができる。
【０１１５】
また、判別手段１１４ａは、費用が所定値より高い表示内容を表示する場合において、外付け表示装置が不特定の外付け表示装置である場合は内蔵表示装置１０１に優先して表示し、不特定の人には見えないようにすることができる。
【０１１６】
また、判別手段１１４ａは、機密度が所定値より高い表示内容を表示する場合において、外付け表示装置が不特定の外部表示装置である場合は、警告を行う。このように、警告を行い表示しないようにし、不特定の人には見えないようにすることができる。
【０１１７】
また、判別手段１１４ａは、機密度が所定値より高い表示内容を表示する場合において、外付け表示装置が不特定の外付け表示装置である場合は内蔵表示装置１０１に優先して表示し、不特定の人には見えないようにすることができる。
【０１１８】
また、この携帯機器１００のマイクロプロセッサ１１４は、メールなどのコミュニケーション手段１１４ｂを有する。コミュニケーション手段１１４ｂは、表示内容を特定する情報またはその表示内容の一部を転送し、コミュニケーションを図ることができる。
【０１１９】
コミュニケーション手段１１４ｂにより表示内容を特定する情報またはその表示内容の一部を受け取った外付け表示装置は、先の表示内容にアクセス可能な機能を有し、外付け表示装置でのその内容にアクセスした行為により送信者に特典が与えられる。特典とはポイントであり、ポイントを貯めることで景品や値引きなどのサービスを受けることができる。
【０１２０】
また、コミュニケーション手段１１４ｂは、表示内容にアクセスした場合に課金を行い、表示内容の閲覧に応じた課金を行うことができる。
【０１２１】
また、コミュニケーション手段１１４ｂは、表示内容の費用を通知し、閲覧者は事前に費用を知ることができる。表示内容の費用が所定値以上である通信内容の受領または表示を警告または禁止する手段を有し、高額な費用の発生によるトラブルを事前に防止することができる。
【０１２２】
また、この携帯機器１００は、操作入力部１０３の操作により内蔵表示装置１０１の表示と外付け表示装置の表示の明るさ、コントラスト、解像度、カラーバランス、倍率を異ならせることが可能であり、外付け表示装置の画像を内蔵表示装置１０１の画像より高倍率とする。内蔵表示装置の表示と外付け表示装置の表示の明るさ、コントラスト、解像度、カラーバランス、倍率を異ならせ、外付け表示装置の画像を内蔵表示装置の画像より高倍率とすることで、例えば注目する画像を見やすくかつ拡大することができる。
【０１２３】
また、この携帯機器１００は、撮像装置としてのデジタルカメラ１０５を内蔵し、デジタルカメラ１０５による映像の表示、内蔵表示装置１０１の表示と外付け表示装置の表示の明るさ、コントラスト、解像度、カラーバランス、倍率を異ならせることが可能であり、像装置による映像を例えば注目する画像を見やすくかつ拡大することができる。
【０１２４】
また、外付け表示装置がヘッドマウントディスプレイであり、ヘッドマウントディスプレイとして、例えば眼鏡型のレンズにホログラム光学素子等を用いることで、映像を観ているときでも外界を観ることが可能である。
【０１２５】
また、この携帯機器１００のマイクロプロセッサ１１４は、表示切換手段１１４ｃを有する。ＨＭＤ表示装置２００のセンサ２０４によりヘッドマウントディスプレイの装着状態を検出し、表示切換手段１１４ｃはヘッドマウントディスプレイが非装着の場合に表示する画像をヘッドマウントディスプレイから内蔵表示装置１０１の表示に切り替える。
【０１２６】
表示切換手段１１４ｃは、ヘッドマウントディスプレイの装着者の動き、生体反応、装着の角度により表示を切り替え、装着者に応じて画像を見やすいように表示することができる。
【０１２７】
この携帯機器１００は、外付け表示装置から画像信号を受信する受信手段としての受信部１０８を有し、外付け表示装置から画像信号を受信し、内蔵表示装置に表示することができる。また、受信部１０８により受信した画像信号を他の外部表示装置へ送信する送信手段としての送信部１０９を有する。
【０１２８】
また、この携帯機器１００の電源部１１６は、電源制御手段１１６ａを有する。電源制御手段１１６ａは、電源のオンオフを判別し、電源オフのスリープ状態から電源オンにし、節電が可能であるとともに、電源の入力操作が容易である。
【０１２９】
電源部１１６は、消費電流測定手段１１６ｂ有する。消費電流測定手段１１６ｂは、外付け表示装置の消費電流を測定し、例えば携帯機器１００の蓄電量が少ない場合には外付け表示装置に表示しないようにすることができる。
【０１３０】
また、電源制御手段１１６ａは、同一の表示内容であれば、内蔵表示装置１０１と外付け表示装置とで、消費電流の少ない方に優先して出力し、節電することが可能である。
【０１３１】
また、電源制御手段１１６ａは、消費電力の多い方に表示させる操作を行うと、警告をすることで、電力消費が大きいことを知らせることができる。
【０１３２】
次に、表示システムによって、内蔵表示装置か外付け表示装置への表示の優先順位の実施の形態について説明する。表示の優先順位は、画像のクオリティ、画像の取得費用、画像の機密性などについて判別する。画像のクオリティは、画像に適合する画素数、色数を選択して表示する。画像の取得費用は、費用の高いもの（無料でないもの）を機密性のある外付け表示装置に優先して表示する。画像の機密性は、親展メール、ユーザーがセキュリティを設定した相手からのメールなどを機密性のある外付け表示装置に優先して表示する。
【０１３３】
これら画像の属性は、画像の作成により指定し、画像に関連づけて送信、保存ができる。これら画像の表示優先度属性は、装着者が画像の他の属性（送信者、所有者、被写体名称などのデータ）により、判断して優先度を指定することができる。
【０１３４】
次に、携帯機器１００による操作を、図５乃至図９に示す。携帯機器１００は、表示画面１００ａと操作キー１００ｂとを有する。
【０１３５】
図５において、表示画面１００ａに「携帯サイト限定コンテンツ販売  独占ゴルフ中継を購入しますか？」が表示された状態で、キー１００ｂ１を押すことで購入が決定される。
【０１３６】
購入決定によって、図６の表示画面１００ａに「外付けディスプレイが見つかりませんでした。有料コンテンツをこの画面で表示しますか？」が表示される。
【０１３７】
外付け表示装置に優先的に表示すべきコンテンツにおいて、外付け表示装置が見つからなかった場合、内蔵表示装置での表示に承認をとるための表示である。機密性の高いメールの場合は「親展指定のメールをこの画面で表示しますか？」という文面になる。親展指定は、メールのヘッダーの記述から判別することができる。例えば、Subjectに「親展」との記述があれば親展メールと判別することができる。
【０１３８】
「はい」のキー１００ｂ１を押すことで視聴開始され、「いいえ」のキー１００ｂ２を押すことで視聴中止になる。有料コンテンツの場合は、図７のように、「表示せず録画します」「あと５分後にまたおたずねします」などのオプションを選ぶことができる。
【０１３９】
図７の表示画面１００ａに「ではどうしますか？５分あとでまたお知らせしますか？録画しておきますか？」が表示される。「あとで」のキー１００ｂ１を押すことで５分後に再度視聴を催促し、「戻る」のキー１００ｂ２を押すことで前の画面に戻り、「録画」のキー１００ｂ３を押すことで録画開始し、「終了」のキー１００ｂ４を押すことで終了する。
【０１４０】
図８及び図９は、表示内容を特定する情報またはその表示内容の一部を転送し、コミュニケーションを図り、表示内容を特定する情報またはその表示内容の一部を受け取り、その内容にアクセスした行為により送信者に特典が与えられる実施の形態を示している。
【０１４１】
すなわち、図８の表示画面１００ａに「このスポーツ中継を他の人に推薦しますか？推薦された人がこれを購入するとあなたに５０ポイントつきます。この画面がメールに添付されます。」が表示される。また、表示画面１００ａには、メールに添付される、推薦するコンテンツの一部、競技のハイライト画面などの画面１００ａ１、推薦先のメールアドレス入力画面１００ａ２が表示される。
【０１４２】
推薦された人の画面は、図９に示すように、表示画面１００ａに「携帯サイト限定コンテンツ販売Ａさんから推薦された、「独占ゴルフ中継」は５００円です。購入しますか？」が表示される。また、Ａさんからの推薦メール文が画面１００ａ３に表示され、メールに添付され表示されたコンテンツの一部が画面１００ａ４に表示される。キー１００ｂ１を押すことで購入が決定される。
【０１４３】
図１０は、ヘッドマウントディスプレイの装着状態を検出し、ヘッドマウントディスプレイが非装着の場合に表示する画像をヘッドマウントディスプレイから内蔵表示装置の表示に切り替える。この表示の切り替えは、ヘッドマウントディスプレイの装着者の動き、生体反応、装着の角度による実施の形態を示す。
【０１４４】
すなわち、図１０の表示画面１００ａには、外付けヘッドマウントディスプレイが非装着状態になった場合、あるいは装着者の状態に異常を検出した場合に、「外付けディスプレイで異常を検出しました。このディスプレイで内容を表示しますか？」が表示される。「はい」のキー１００ｂ１を押すと、内臓表示装置で表示を続ける。「いいえ」のキー１００ｂ２を押すと、内臓表示装置には外付け表示装置の表示内容を表示しない。
【０１４５】
図１１は、外付け表示装置の消費電流を測定し、同一の表示内容であれば、内蔵表示装置と外付け表示装置とで消費電流の少ない方に優先して出力する実施の形態を示す。
【０１４６】
すなわち、図１１の表示画面１００ａは、消費電力を比較し、外付け表示装置のほうが消費電力が高いため、内臓表示装置に表示させることを促す画面であり、判断の参考のため、コンテンツの連続時間、電池の残量を表示することが望ましい。この実施の形態では、表示画面１００ａには、「購入したコンテンツを、外付けディスプレイに表示すると、電池が３０分しかもちません。このコンテンツは約６０分あります。このディスプレイに表示しますか？」が表示される。「はい」のキー１００ｂ１を押すと、内臓表示装置で表示する。「いいえ」のキー１００ｂ２を押すと、外付け表示装置に表示する。
【０１４７】
また、この表示システムでは、図１２乃至図１６に示すように、有料コンテンツに、ユーザー同士のメール、チャット、通話を組み合わせることができる。
【０１４８】
図１２の構成では、携帯機器の内蔵表示装置のメール、チャット画面で、コンテンツの呼び寄せを行うことができる。図１３の構成では、携帯機器の内蔵表示装置の中継画面と外付け表示装置の画面とに表示することで比較容易である。図１５の構成では、外付け表示装置の画面に特定の情報にだけ表示することでプライバシーやセキュリティが向上する。
【０１４９】
特定の情報であるかの判別は、メールの送信者が送信したメールの設定した属性（親展メール／通常メール）による判別で行ってもよいし、受信側で、特定の送信者からのメールであるかどうか、メールのタイトルやメール本文に特定の言葉が登場するか否かで判別しても良い。
【０１５０】
このようにして、請求項９にあるように、機密度の値を送信側、受信側にて変更することが可能になる。
【０１５１】
図１５の構成では、全画像は携帯機器の内蔵表示装置の画面で表示するが、その拡大図、詳細図を外付け表示装置の画面に表示する。図１６の構成では、携帯機器の内蔵のデジタルカメラを用いて撮影し、外付け表示装置の画面に拡大をする。
【０１５２】
また、外付け表示装置の表示画面のシースルー性を生かしたコンテンツとして、例えばスポーツ多元中継がある。有料コンテンツを見ながら、友人にお誘いメールを出す、友達が推薦のコンテンツを購入すると、誘った人にポイントがつく（迷惑防止のため、お誘いお断りモードも付けることができる）。スタジアム外（通常）のほかに、スタジアム内でも別画面を提供するなどがある。
【０１５３】
また、クイズ、パズル（絵合わせ）などがあり、携帯機器の内蔵表示装置の画面から出題し、返事、解答は外付け表示装置の画面に表示する。
【０１５４】
次に、表示システムによって、有料の表示内容（コンテンツ）を購入するフローチャートを図１７に示す。
【０１５５】
ステップａ１において、有料コンテンツ購入が選択されると、外付け表示装置優先コンテンツかどうかを判断し（ステップａ２）、外付け表示装置優先コンテンツでない場合には、内蔵表示装置に有料コンテンツを表示して終了する（ステップａ３）。
【０１５６】
ステップａ２において、外付け表示装置優先コンテンツの場合には、外付け表示装置の検出を行い（ステップａ４）、外付け表示装置が発見されると、外付け表示装置に表示するか否かの判断を行う（ステップａ５）。外付け表示装置に表示する場合には、外付け表示装置に表示して終了する（ステップａ６）。
【０１５７】
ステップａ４,a5において、外付け表示装置が発見されないと、ステップａ７へ移行して「内蔵表示装置に表示しますか？」を表示する。
【０１５８】
「表示する」を選択すると、内蔵表示装置に有料コンテンツを表示して終了する（ステップａ８）。「表示する」を選択しないと、ステップａ９において、「録画しますか？または後でお尋ねしますか？」を表示し、「前の画面に戻る」、「５分後に催促」、「録画開始」、「終了」の選択キーを表示する。
【０１５９】
「前の画面に戻る」を選択すると（ステップａ１０）、前の画面に戻る。「５分後に催促」を選択すると（ステップａ１１）、５分待機してステップａ４へ移行する（ステップａ１２）。「録画開始」を選択すると（ステップａ１３）、画像を保存して終了する（ステップａ１４）。「終了」を選択すると（ステップａ１５）、終了する。
【０１６０】
ここでの録画の保存は、メモリーカードに保存してもよいし、ネットワーク上でのデータ保存サービスを呼びだしそこに保存することでもよい。この場合は装置にメモリの余地がなくても録画できる。
【０１６１】
次に、表示システムによって、有料の表示内容（コンテンツ）を購入する表示優先モードの実施の形態のフローチャートを図１８に示す。
【０１６２】
ステップｂ１において、有料コンテンツ購入が選択されると、外付け表示装置優先コンテンツかどうかを判断し（ステップｂ２）、外付け表示装置優先コンテンツでない場合には、内蔵表示装置に有料コンテンツを表示して終了する（ステップｂ３）。
【０１６３】
ステップｂ２において、外付け表示装置優先コンテンツの場合には、外付け表示装置の検出を行い（ステップｂ４）、外付け表示装置が発見されると、外付け表示装置に表示して終了する（ステップｂ５）。
【０１６４】
ステップｂ４において、外付け表示装置が発見されないと、「外付け表示装置が見つからないのでこの表示装置に表示します」と表示し、ステップｂ３へ移行して内蔵表示装置に有料コンテンツを表示して終了する。
【０１６５】
次に、表示システムによって、メモリカードの表示内容（コンテンツ）を選択するフローチャートを図１９に示す。
【０１６６】
ステップｃ１において、メモリカードの表示内容（コンテンツ）が選択されると、外付け表示装置優先コンテンツかどうかを判断し（ステップｃ２）、外付け表示装置優先コンテンツでない場合には、内蔵表示装置にコンテンツを表示して終了する（ステップｃ３）。
【０１６７】
ステップｃ２において、外付け表示装置優先コンテンツの場合には、外付け表示装置の検出を行い（ステップｃ４）、外付け表示装置が発見されると、外付け表示装置に表示するか否かの判断を行う（ステップｃ５）。外付け表示装置に表示する場合には、外付け表示装置に表示して終了する（ステップｃ６）。
【０１６８】
ステップｃ４において、外付け表示装置が発見されないと、ステップｃ７へ移行して「表示する」を選択すると、内蔵表示装置に有料コンテンツを表示して終了する（ステップｃ８）。「表示する」を選択しないと、終了する。
【０１６９】
次に、表示システムによって、メモリカードの表示内容（コンテンツ）表示優先モードの実施の形態のフローチャートを図２０に示す。
【０１７０】
ステップｄ１において、メモリカードの表示内容（コンテンツ）が選択されると、外付け表示装置優先コンテンツかどうかを判断し（ステップｄ２）、外付け表示装置優先コンテンツでない場合には、内蔵表示装置にメモリカードの表示内容（コンテンツ）を表示して終了する（ステップｄ３）。
【０１７１】
ステップｄ２において、外付け表示装置優先コンテンツの場合には、外付け表示装置の検出を行い（ステップｄ４）、外付け表示装置が発見されると、外付け表示装置に表示して終了する（ステップｄ５）。
【０１７２】
ステップｄ４において、外付け表示装置が発見されないと、「外付け表示装置が見つからないのでこの表示装置に表示します」と表示し、ステップｄ３へ移行して内蔵表示装置にメモリカードの表示内容（コンテンツ）を表示して終了する。
【０１７３】
この表示システムにおいては、画像の表示内容に基づいて内蔵表示装置か外付け表示装置への出力かを判別し、この判別する判別基準を、表示内容に関連づけられた属性により判断する。
【０１７４】
この属性判定の実施の形態のフローチャートを図２１に示す。
【０１７５】
ステップe１において、コンテンツの属性を抽出すると、コンテンツの属性が存在するか否かを判断し（ステップe２）、コンテンツの属性が存在しない場合は、内蔵表示装置に表示を優先すると判断する（ステップe３）。
【０１７６】
ステップe２において、コンテンツの属性が存在する場合は、属性のうちの費用が所定以上か否かを判断し（ステップe４）、費用が所定以上の場合は、外付け表示装置が特定の仕様を満たすか否かを判断する（ステップe５）。特定の仕様とは、画素数、色数などの表現力、または特定者のみ鑑賞可能かどうか（機密性に影響する）、またはシースルー性の有無（シースルー性があると内蔵・外付けの内容比較が容易でナビに適する）などである。
【０１７７】
外付け表示装置が特定の仕様を満たす場合は、外付け表示装置の表示を優先すると判定する（ステップe６）。
【０１７８】
ステップe４において、費用が所定以上でない、または費用の設定がない場合は、機密度が所定値以上か否かを判断する（ステップe７）。機密度が所定以上でない、または機密度の設定がない場合は、内蔵表示装置に表示を優先すると判断する（ステップe３）。
【０１７９】
ステップe７において、機密度が所定以上の場合は、ステップe５へ移行する。ステップe５において、外付け表示装置が特定の仕様を満たさないかまたは外付け表示装置がない場合は、内蔵表示装置に表示を優先すると判断する（ステップe３）。
【産業上の利用可能性】
【０１８０】
この発明は、外付け表示装置と、画像を取り込む画像入力部と、入力された画像を表示する内蔵表示装置とを有し、入力された画像を前記外付け表示装置へ出力可能な携帯機器とを備え、画像の表示内容に基づいて内蔵表示装置か外付け表示装置への出力かを簡単かつ確実に判別して表示することができる。
【図面の簡単な説明】
【０１８１】
【図１】表示システムを示す概略構成図である。
【図２】表示システムのブロック図である。
【図３】操作入力部を示す図である。
【図４】表示システムの携帯機器と外付け表示ユニットとの画像表示の信号通信を示す図である。
【図５】携帯機器による操作表示画面を示す図である。
【図６】携帯機器による操作表示画面を示す図である。
【図７】携帯機器による操作表示画面を示す図である。
【図８】携帯機器による操作表示画面を示す図である。
【図９】携帯機器による操作表示画面を示す図である。
【図１０】携帯機器による操作表示画面を示す図である。
【図１１】携帯機器による操作表示画面を示す図である。
【図１２】内蔵表示装置と外付け表示装置への出力の形態を示す図である。
【図１３】内蔵表示装置と外付け表示装置への出力の形態を示す図である。
【図１４】内蔵表示装置と外付け表示装置への出力の形態を示す図である。
【図１５】内蔵表示装置と外付け表示装置への出力の形態を示す図である。
【図１６】内蔵表示装置と外付け表示装置への出力の形態を示す図である。
【図１７】有料の表示内容（コンテンツ）を購入するフローチャートである。
【図１８】有料の表示内容（コンテンツ）を購入する表示優先モードの実施の形態のフローチャートである。
【図１９】メモリカードの表示内容（コンテンツ）を選択するフローチャートである。
【図２０】メモリカードの表示内容（コンテンツ）表示優先モードの実施の形態のフローチャートである。
【図２１】属性判定の実施の形態のフローチャートである。
【符号の説明】
【０１８２】
１００  携帯機器
１０１  内蔵表示装置
１０３  操作入力部
１０６  メモリカード
１１４  マイクロプロセッサ
１１４ａ  判別手段
１１４ｂ  コミュニケーション手段
２００  ＨＭＤ表示装置
２０１  光学ユニット
Ａ  外付け表示ユニット
【図１】
2006189476.tif 000003
【図２】
2006189476.tif 000004
【図３】
2006189476.tif 000005
【図４】
2006189476.tif 000006
【図５】
2006189476.tif 000007
【図６】
2006189476.tif 000008
【図７】
2006189476.tif 000009
【図８】
2006189476.tif 000010
【図９】
2006189476.tif 000011
【図１０】
2006189476.tif 000012
【図１１】
2006189476.tif 000013
【図１２】
2006189476.tif 000014
【図１３】
2006189476.tif 000015
【図１４】
2006189476.tif 000016
【図１５】
2006189476.tif 000017
【図１６】
2006189476.tif 000018
【図１７】
2006189476.tif 000019
【図１８】
2006189476.tif 000020
【図１９】
2006189476.tif 000021
【図２０】
2006189476.tif 000022
【図２１】
2006189476.tif 000023